(57)【要約】      （修正有）【課題】キャップを少ない力で、且つ確実に開栓するとともに、缶容器のプルトップも容易に開けることができ、さらに持ち運びや収納に優れるキャップ開栓具を提供する。【解決手段】ペットボトルのキャップを開栓するキャップ開栓具であって、該キャップ開栓具１は、中央に開孔部１０を備える本体部２と、本体部１０の外周に形成された第一凹凸部３と、前記開孔部１０の周囲に形成された第二凹凸部１１とを備えることを特徴とする。また前記第二凹凸部１１の数量は、キャップ周囲に形成された凹凸２２の数と同数形成され、また前記第二凹凸部１１は一方向に傾斜状に形成されている。さらに前記キャップ開栓具１に、缶容器のプルトップを開口する突状部７を形成した。【選択図】図１
0003189637.tif 000002
【実用新案登録請求の範囲】
【請求項１】
ペットボトルのキャップを開栓するキャップ開栓具であって、該キャップ開栓具は、中央に開孔部を備える本体部と、本体部の外周に形成された第一凹凸部と、前記開孔部の周囲に形成された第二凹凸部とを備えることを特徴とするキャップ開栓具。
【請求項２】
前記第二凹凸部の数量は、キャップ周囲に形成された凹凸の数と同数形成されている請求項１記載のキャップ開栓具。
【請求項３】
前記第二凹凸部は、一方向に傾斜状に形成されている請求項１または２記載のキャップ開栓具。
【請求項４】
前記キャップ開栓具に、缶容器のプルトップを開口する突状部を形成した請求項１乃至３のうちいずれか１項に記載のキャップ開栓具。
【考案の詳細な説明】
【技術分野】
【０００１】  本考案は、ペットボトルのキャップを開栓するキャップ開栓具であって、特に、少ない力で、且つ確実に開栓するとともに、缶容器のプルトップも容易に開けることができるキャップ開栓具に関する。
【背景技術】
【０００２】  飲料水を収容したペットボトルには、容器の開口部を塞ぐ回転式のキャップが装着されている。このペットボトルで容器内の飲料水を飲むには、キャップを回転させて取り外し、直接、若しくは別の容器に移して飲用する。また途中で飲用をやめる場合、キャップを開口部にあてがい、反対方向に回転させて容器に装着する。【０００３】  しかし、ペットボトルの容器からキャップを取り外すには、握力や腕力を必要とする。そのため、力の弱い女性や子供、高齢者にとっては、キャップを回転させて取り外すことが非常に困難であった。【０００４】  それらの問題を解決するための従来技術として、高齢者や幼児等の力のない人であっても容易に開栓することができるペットボトル用キャップ開栓具がある（例えば特許文献１参照）。
上掲特許文献１のペットボトル用キャップ開栓具は、ほぼ半円弧状の内周をもつ本体と、前記本体に固定され或いは取り外し可能に取付けられた柄とを備え、前記内周の径が、開栓しようとするキャップの径と実質的に同一になるように形成されており、前記内周の一端に、内方に僅かに突出した突出部が設けられており、開栓しようとするキャップを前記内周に嵌め込み、前記柄を前記突出部が位置する側と反対の側に回すことにより、キャップが開栓されるように構成されていることを特徴とする。
【先行技術文献】
【特許文献】
【０００５】
【特許文献１】特開２００６−２７３３６５号公報（特許請求の範囲等）
【考案の概要】
【考案が解決しようとする課題】  しかしながら上掲特許文献１のペットボトル用キャップ開栓具は、本体に柄が装着されているため持ち運びや収納が面倒であった。またペットボトルのキャップを開栓するだけに使われるため、使用の範囲が狭くなり高い利便性を得るまでには至らなかった。【０００６】  そこで本考案は上記の点に鑑み、キャップを少ない力で、且つ確実に開栓するとともに、缶容器のプルトップも容易に開けることができ、さらに持ち運びや収納に優れるキャップ開栓具を提供することにある。
【解決を解決するための手段】
【０００７】  上記課題を解決するために本考案のキャップ開栓具は、ペットボトルのキャップを開栓するキャップ開栓具であって、該キャップ開栓具は、中央に開孔部を備える本体部と、本体部の外周に形成された第一凹凸部と、前記開孔部の周囲に形成された第二凹凸部とを備えることを特徴とする。
【０００８】  また前記第二凹凸部の数量は、キャップ周囲に形成された凹凸の数と同数形成されている。
【０００９】  また前記第二凹凸部は、一方向に傾斜状に形成されている。
【００１０】  さらに前記キャップ開栓具に、缶容器のプルトップを開口する突状部を形成した。
【考案の効果】
【００１１】  本考案のキャップ開栓具は、中央に開孔部を備える本体部と、本体部の外周に形成された第一凹凸部と、前記開孔部の周囲に形成された第二凹凸部とを備えることにより、全体形状がシンプルで軽量に形成することができ、持ち運びや収納が容易となる。
【００１２】  また前記第二凹凸部の数量は、キャップ周囲に形成された凹凸の数と同数形成され、さらに前記第二凹凸部は、一方向に傾斜状に形成されているため、キャップとの係止状態に優れ、少ない力で確実にキャップを開栓することができる。
【００１３】  さらに前記キャップ開栓具に、缶容器のプルトップを開口する突状部を形成したことにより、缶容器のプルトップも少ない力で容易に開口することができる。
【図面の簡単な説明】
【００１４】
【図１】本考案のキャップ開栓具の全体斜視図である。
【図２】前記キャップ開栓具の正面図である。
【図３】キャップ開栓具の使用状態の平面図である。
【図４】キャップ開栓具の使用状態の側面図である。
【図５】缶容器のプルトップを開口する状態の断面図である。
【考案を実施するための形態】
【００１５】  本考案のキャップ開栓具は、キャップを少ない力で、且つ確実に開栓するとともに、缶容器のプルトップも容易に開けることができ、さらに持ち運びや収納に優れることを特徴とする。
以下、本考案のキャップ開栓具おける実施の形態を図面に基づいて説明する。
【００１６】  図１に示すキャップ開栓具は、ペットボトル２０のキャップ２１を開栓するものであり、キャップ開栓具１は、中央に開孔部１０を備える本体部２と、本体部２の外周に形成された第一凹凸部３と、前記開孔部１０の周囲に形成された第二凹凸部１１とを備えることを特徴とする。
【００１７】  本体部２の素材は適宜強度を有し、且つ、量産が可能な金属、もしくは強化プラスチック等で形成することが好ましい。また本体部２は薄板状であり、その大きさは容易に把持することができるよう、直系約６ｃｍ程度に形成されている。
【００１８】  前記本体部２の中央には、キャップ２１の周囲を保持係止する開孔部１０が形成されている。また本体部２の外周には、第一凹凸部３が形成されている。第一凹凸部３は、キャップ開栓具１にてキャップ２１を開栓する際に、指の滑りを防ぐためのものである。
【００１９】  前記第一凹凸部３は、本体部２の外周に７個程形成されている湾曲状の凸部４と、凸部４の間に形成された凹部５とからなる。本体部２の外周に第一凹凸部３を形成することにより、全体が花びら状のデザインを呈し、外観的向上を得ることができる。また前記凸部４に開孔部６を設けることで、紐やチェーン等を連結することができる。
【００２０】  また、前記開孔部１０の周囲には第二凹凸部１１が形成されている。第二凹凸部１１は、図２に示すように一方向に傾斜状に形成されている。また第二凹凸部１１の数量は、キャップ２１の周囲に形成された凹凸２２の数と同数形成されている。そのことにより、図３に示すように、開孔部１０をキャップ２１の周囲に配置させ回転させた際、第二凹凸部１１とキャップ２１の凹凸２２との係止状態が高まり、少ない力で確実にキャップ２２を開栓することができる。
【００２１】  また他の好適例として、前記キャップ開栓具１に、缶容器３０のプルトップ３１を開口する突状部７を形成した。突状部７は第一凹凸部３の間に突出した状態で具備されており、先方が湾曲状に反り返った状態に形成されている。
【００２２】  キャップ開栓具１に突状部７を形成したことにより、図５に示すように、缶容器３０のプルトップ３１の穴に突状部７の先方を挿入し上方に引き上げることで、少ない力で容易にプルトップ３１を開口することができる。
【００２３】  上述の如く本考案のキャップ開栓具１は、中央に開孔部１０を備える本体部２と、本体部２の外周に形成された第一凹凸部３と、前記開孔部１０の周囲に形成された第二凹凸部１１とを備えること構成により、キャップを少ない力で、且つ確実に開栓することができる。
【００２４】  また、キャップ開栓具１に突状部７を形成したことにより、ペットボトルのキャップを開栓するとともに、缶容器３０のプルトップ３１も容易に開けることができるため、高い利便性が得られる。
【００２５】  さらに全体形状が薄状小型に形成されているため、持ち運びや収納に優れるとともに、外観的に花びら形状を呈しているためデザイン性に優れ、キーホルダーに連結して携帯することも可能になる。
【符号の説明】
【００２６】１    キャップ開栓具
２    本体部
３    第一凹凸部
４    凸部
５    凹部
６    開孔部
７    突状部
１０  開孔部
１１  第一凹凸部
２０  ペットボトル
２１  キャップ
２２  凹凸部
３０  缶容器
３１  プルトップ
【図１】
0003189637.tif 000003
【図２】
0003189637.tif 000004
【図３】
0003189637.tif 000005
【図４】
0003189637.tif 000006
【図５】
0003189637.tif 000007
【手続補正書】
【提出日】平成25年12月26日(2013.12.26)
【手続補正１】
【補正対象書類名】実用新案登録請求の範囲
【補正対象項目名】請求項４
【補正方法】変更
【補正の内容】
【請求項４】
前記キャップ開栓具の第一凹凸部の間に、缶容器のプルトップを開口する突状部を形成した請求項１乃至３のうちいずれか１項に記載のキャップ開栓具。
【手続補正２】
【補正対象書類名】明細書
【補正対象項目名】００１０
【補正方法】変更
【補正の内容】
【００１０】  さらに前記キャップ開栓具の第一凹凸部の間に、缶容器のプルトップを開口する突状部を形成した。